(57)【要約】【課題】トイレ等のドアに多く採用される片開きの開き戸において、ロック機構が故障した場合に備えて、ドア板を分割して折りたためるように構成したドアにおいて、ドア板をスムーズに折りたたむことができるようにすることを課題とする。【解決手段】ドア板が幅方向に３枚以上の板体に分割され、この板体同士が折りたたみ可能、かつ、開放端を構成する板体が平行移動するように、互いに回動自在に連結されることで前記ドア板が幅方向に縮んでロック機構を解除するドアにおいて、前記３枚以上の板体のうち、ドア板表面に対して折り畳まれる少なくともいずれかの板体が、前面側板体と後面側板体の２枚の板体を重ねたものであり、前面側板体と後面側板体は互いに横方向にスライド可能に固定されるものであって、この板体と隣接する２枚の板体のうち、一方は前面側板体と回動自在に固定され、他方は後面側板体と回動自在に固定されるものである。【選択図】  図５
2010018979.tif 000002
【特許請求の範囲】
【請求項１】
ドア板の側部開放端において幅方向に出没する突起と、ドア枠側に固定される、前記突起に係合する係合部とにより前記ドア板を固定するロック機構を有する片開きの開き戸であり、
前記ドア板は、幅方向に３枚以上の板体に分割され、この板体同士は、折りたたみ可能、かつ、開放端を構成する板体が平行移動するように、互いに回動自在に連結されることで、ドアの内側からの所定操作により、少なくとも係合状態の前記突起と前記係合部との係合が外れる長さだけ前記ドア板が幅方向に縮み、
前記ドア板の幅とほぼ同じ長さを有し、開放端を構成する板体の幅方向に交わる方向への移動を規制する溝を有するガイド部材が、ドア枠に回動可能に固定されるものであって、
前記３枚以上の板体のうち、少なくともいずれかのドア板表面に対して折り畳まれる板体が、前面側板体と後面側板体の２枚の板体を重ねたものであり、前面側板体と後面側板体は互いに横方向にスライド可能に固定されるものであって、この板体と隣接する２枚の板体のうち、一方は前面側板体と回動自在に固定され、他方は後面側板体と回動自在に固定されるものである
非常用開放機構付き開き戸。
【請求項２】
前記前面板体と後面板体とは一定以上の力を加えないと互いに移動しないように動作が規制されるものである請求項１に記載の非常用開放機構付き開き戸。
【発明の詳細な説明】
【技術分野】
【０００１】
本発明は錠をおろすことができる片開きの開き戸であって、錠が故障した場合などの非常時に錠を開放して戸を開くことができるようにした開き戸に関する。
【背景技術】
【０００２】
トイレ等の室内のドアの多くは片開きの開き戸が採用されており、これらには、多くの場合、ドアノブ部分にデッドボルトによるロック機構や、ラッチを固定するロック機構が設けられている。これらの機構は機械であるので、稀に、故障し人が室内に閉じ込められてしまうことがある。このような場合、内部からドアを開けることは困難であり、外部の救援により錠を破壊する等の方法によってドアを開けることが一般的である。しかし、室外に人がいないような場合は、長時間ドアの内部に閉じ込められることになり精神的負担が大きく、数日間閉じ込められるような場合、死に至る場合も考えられる。
このような問題に鑑みて、本願発明の発明者は下記特許文献１に示す非常用開放機構付き開き戸を提案している。この発明は図６（ａ）（ｂ）に示すように、ドア板Ｐを４枚の板体Ａ、Ｂ、Ｃ、Ｄにより折りたたみ可能にすることで、図７に示すように、開放端を構成する板体Ａが幅方向に平行移動できるようにしている。なお、図６（ａ）は表面側から見た斜視図であり、図６（ｂ）は裏面側から見た斜視図である。これにより、ロック機構Ｒが壊れてもドア板Ｐを構成する板体を折りたたむことで解錠することができる。
【特許文献１】特許第３９７５２１６号公報
【発明の開示】
【発明が解決しようとする課題】
【０００３】
ところで、上記発明ではドア板Ｐの折りたたみ動作がスムーズにいかない場合がある。このことを図８（ａ）〜（ｃ）に示す上記発明に係るドアの横断面図を用いて説明する。まず、ドア板Ｐが平らな状態において、ドア板Ｐを構成する板体Ａ、Ｂ、Ｃ、Ｄはそれぞれの表面が図３（ａ）に示すように、同一面を構成している。各板体はヒンジＡａ、Ｂａ、Ｃａにより連結されることで、それぞれが折りたたむことができるようになっている。ヒンジＡａ、Ｃａは裏面側に設けられ、両端の板体Ａ、Ｄと中央の板体Ｂ、Ｃとを回動可能に固定している。ヒンジＢａは表面側に設けられ、真ん中の板体ＢとＣとを回動可能に固定している。ここで、ヒンジＢａはヒンジＣａを中心に図の円弧Ｌ1を通る。また、ヒンジＢａはヒンジＡａを中心に図の円弧Ｌ２も通る。なお、ヒンジＡａは開放端を構成する板体Ａに設けられるので、板体Ａの移動に伴い移動する。
【０００４】
ところで、図８（ａ）の状態から、ドア板Ｐを折りたたむためには、図８（ｂ）の状態に至る必要があるが、図８（ａ）から図８Ｃ（ｂ）に至るまではヒンジＡａ、Ｃａは動けないので、ヒンジＢａは図８（ａ）（ｂ）に示す円弧Ｌ１、Ｌ２を通ることとなる。しかし、図に示すようにＬ１、Ｌ２は重なっているので、理論的には動くことができない。実際には、ドア板Ｐとドア枠Ｆとの間には隙間があり、また、板体やヒンジも圧縮したり撓んだりすることができるので、この隙間や部材の変形により図８（ａ）の状態から、図８（ｂ）の状態に至ることができる。その後は、板体Ａが動き図Ｃ（ｃ）のようにスムーズに各ヒンジは回動することができる。
このように容易に折りたたまれないことは、通常のドア板として使用するに際しては望ましいが、地震などでドア枠が歪んだり、製造時の誤差や板体、ヒンジの材質等によっては緊急時に板体を折りたたむことができなくなる事態が発生することも考えられる。
本発明は、このような問題に鑑みて、トイレ等のドアに多く採用される片開きの開き戸において、ロック機構が故障した場合に備えて、ドア板を分割して折りたためるように構成したドアにおいて、ドア板をスムーズに折りたたむことができるようにすることを課題とする。
【課題を解決するための手段】
【０００５】
上記課題を解決するために、本発明は次のような構成を有する。
請求項１に記載の発明は、ドア板の側部開放端において幅方向に出没する突起と、ドア枠側に固定される、前記突起に係合する係合部とにより前記ドア板を固定するロック機構を有する片開きの非常用開放機構付き開き戸であり、前記ドア板は、幅方向に３枚以上の板体に分割され、この板体同士は、折りたたみ可能、かつ、開放端を構成する板体が平行移動するように、互いに回動自在に連結されることで、ドアの内側からの所定操作により、少なくとも係合状態の前記突起と前記係合部との係合が外れる長さだけ前記ドア板が幅方向に縮む。また、前記ドア板の幅とほぼ同じ長さを有し、開放端を構成する板体の幅方向に交わる方向への移動を規制する溝を有するガイド部材が、ドア枠に回動可能に固定される板体に固定される。そして、前記３枚以上の板体のうち、ドア板表面に対して折り畳まれる少なくともいずれかの板体が、前面側板体と後面側板体の２枚の板体を重ねたものであり、前面側板体と後面側板体は互いに横方向にスライド可能に固定されるものであって、この板体と隣接する２枚の板体のうち、一方は前面側板体と回動自在に固定され、他方は後面側板体と回動自在に固定されるものである。なお、「ドア板表面に対して折り畳まれる」とは、ドア板全体の表面に垂直な方向成分をもって移動することで折り畳まれることを意味する。即ち、折り畳まれた状態で、折り畳まれた板体は折り畳まれる前のドア板全体の表面から突出するか凹む状態となる。
請求項２に記載の発明は、前記非常用開放機構付き開き戸において、前記前面板体と後面板体とは一定以上の力を加えないと互いに移動しないように動作が規制されるものである。
【発明の効果】
【０００６】
請求項１に記載の発明は、折りたたまれるドア板を構成する板体の少なくとも一枚を互いに面に沿って横方向にスライドする前面側板体と後面側板体とにより構成し、隣接する２枚の板体の一方を前面側板体と回動自在に固定し、他方を後面側板体と回動自在に固定することで、前面側板体の回動部と後面側板体の回動部との距離が適宜変化することとなる。即ち、従来は回動時に部材の変形が生じていたところを、前面側板体と後面側板体とがスライド移動することで部材の変形を低減させることができ、より回動をスムーズにすることができる。
請求項２に記載の発明は、上述のように前面側板体と後面側板体とのスライドにより回動がスムーズになり、通常のドアの使用時に際してもドア板が折りたたまれやすくなるので、一定以上の力を加えないと前面側板体と後面側板体互いに移動しないように動作を規制することで、通常時のドアの使用の妨げになることを抑制することができる。
【発明を実施するための最良の形態】
【０００７】
以下、本発明の実施形態について、図面を参照しながら説明する。
図１に本実施形態に係る非常用開放機構付き開き戸Ｘの外部側に位置する面から見た一部破断斜視図を示し、図２に非常用開放機構付き開き戸Ｘの内部側に位置する面から見た一部破断斜視図を示し、図３に、非常用開放機構付き開き戸Ｘの横断面図（図１のＡ−Ａ’線断面図）を示す。非常用開放機構付き開き戸Ｘは、ドア板１０の一方の側端部がドア枠２０の側縁部とヒンジ１０ａにより連結される片開きの開き戸である。
ドア板１０は、幅方向に４枚の板体に分割され、それぞれの板体は、開放端を構成する開放端板１１、開放端板１１にヒンジ１１ａにより内側に回動可能に連結される第一折畳板１２、ドア枠２０にヒンジ１０ａにより内側に回動可能に連結される回動端板１４、回動端板１４にヒンジ１３ａにより内側に回動可能に連結される第２折畳板１３とから構成される。また、第１折畳板１２と第２折畳板１３とはヒンジ１２ａにより連結され、外側で互いに近づくように連結されている。このような構成により、ドア板１０は４枚の板体が平行な状態において内側へ開くドア板となるとともに、第１折畳部１２と第２折畳部１３とを互いに近づくように折りたたむことで、幅方向に縮むことができる。
【０００８】
開放端板１１、第２折畳板１３、回動端板１４は内部の桟と表面の化粧板とにより箱状に形成されているが、第１折畳板１２は、２枚の板材を重ね合わせることにより構成されている。なお、図３等の断面図では便宜上開放端板１１、第２折畳板１３、回動端板１４は中実なものとして描いている。第１折畳板１２は、前面側板体１２Ｐ、後面側板体１２Ｑ、前面側板体１２Ｐと後面側板体１２Ｑとを互いに連結する扁平なスライドレール１２Ｒ、前面側板体１２Ｐの後面側板体１２Ｑに向かう面に固定され、後面側板体１２Ｑに押しつけられることで、前面側板体１２Ｐと後面側板体１２Ｑとの間の移動を規制するゴムストッパー１２Ｓが設けられている。スライドレール１２Ｒは、一般定な既製品の部材であり、一方のレールと他方のレールとがベアリングを介してスライド自在に固定されるものであり、一方のレールを前面側板体１２Ｐに固定し、他方のレールは後面側板体１２Ｑに固定することで、前面側板体１２Pと後面側板体１２Ｑとはスライド可能、かつ、各板体表面に垂直な方向には移動できないように固定される。スライドレール１２Ｒは、スライド方向が各板体の面に沿って左右方向となるように、複数平行に取り付けられる。なお、スライドレール１２Ｒは一定の範囲内でのみスライドできるように動作を規制されている。また、第１折畳開板１２に隣接する開放端板１１と後面側板体１２Ｑとがヒンジ１１ａで回動自在に固定され、他方側で第１折畳開板１２に隣接する第２折畳板１３と前面側板体１２Ｒとがヒンジ１２ａで回動自在に固定される。
【０００９】
第２折畳板１３の内側には断面コの字状の取っ手１３ｂが固定されている。また、開放端板１１にはドアノブ部３０が設けられている。ドアノブ部３０は、両主表面に設けられるハンドル３１、ハンドル３１の回転により出没する側部端面に設けられるラッチ３１ａ、ドアをロックするためのロック摘み３２、ロック摘み３２により出没するように操作される側部端面に出没可能に設けられるデッドボルト３２ａとから構成される。なお、図ではドア枠２０の一部が破断しているために示されていないが、ドア枠２０のラッチ３１ａ、デッドボルト３２ａに相対する面には、それぞれラッチ係合穴とデッドボルト係合穴が形成されている。
【００１０】
ドア板１０の上縁および下縁にはガイド部材１５、１６が設けられている。ガイド部材１５、１６はステンレスの板材を折り曲げることにより形成される。ガイド部材１５、１６は、ドア板１０よりもやや幅のある溝が形成されるように断面コの字に折り曲げられており、ドア板１０の上縁および下縁に係合した際に、内側の第１折畳板１２、第２折畳板１３、回動端板１４に面する部分には、ドア板１０が幅方向に縮む際にガイド部材１５が邪魔にならないように、切り欠き１５ａ、１６ａが形成されている。このガイド部材１５、１６は回動端板１４に固定されている。ガイド部材１５、１６を設けることにより、ドア板１０を平板状態で安定させることができる。即ち、ドア板１０が平板な板状態のときにドア板１０を開くためにドアノブ部３０のハンドルを内側へ動かすと、開放端板１１はガイド部材１５、１６の溝内部に位置するので、ヒンジ１１ａで第１折畳板１２に連結されていても開放端板１１はヒンジ１１ａ部分で回動することはない。また、ドア板１０を閉じるためにドアノブ部３０のハンドルを外側へ動かす場合にも、開放端板１１はガイド部材１５、１６の溝内部に位置し、また、第１折畳板１２もガイド部材１５、１６の外側に位置する板部分に当接するので、第１折畳板１２が、ヒンジ１３ａで第２折畳板１３に連結されていても、第２折畳板１３はヒンジ１３ａ部分で回動することはない。そして、ドア板１０を折りたたむ際には、ガイド部材１５、１６により、開放端板１１は、ガイド部材１５、１６の溝に拘束されて回動端板１４と同一面上を平行移動することになる。
【００１１】
次に、以上のような構成を有する非常用開放機構付き開き戸Ｘの使用方法について説明する。ドアノブ部３０のロック摘み３２とこれに連動するデッドボルト３２ａが故障していない状態においては、図１、図２に示すようにドア板１０は平板状で使用され、ドアノブ部３０のハンドル３１を操作して、ヒンジ１０ａを中心に回動することにより、開閉動作がなされる。そして、ドアを閉めてロック摘み３２を操作してデッドボルト３２ａを突出させてロック状態としたときに、ロック摘み３２からデッドボルト３２ａに至る機構やハンドル３１等が故障すると、内側にいる人はこのままではドア板１０の内側に閉じ込められてしまうことになる。このような状態になった場合には、閉じ込められた人は、第２折畳板１３に取り付けられた取っ手１３ｂを強く内側へ引くことで、第１折畳板１２、第２折畳板１３が内側に折れ曲がるとともに、開放端板１１が平行移動し、図４の斜視図に示すようにドア板１０の幅が縮んで、デッドボルト３２ａによるドア枠への係合が解くことができる。
【００１２】
この際のドア板１０の幅が縮む過程を以下に説明する。図５（ａ）〜（ｃ）にドア板１０の幅が縮む過程を示す非常用開放機構付き開き戸Ｘの横断面図を示す。まず、当初、図５（ａ）のように平板状にあるドア板１０から、取っ手１３ｂを引くと、第２折畳板１３はヒンジ１３ａを中心に回動する。これにより、ヒンジ１２ａもヒンジ１３ａを中心に回動するが、この回動の軌跡は図５（ａ）〜（ｃ）に示すように円弧Ｌ１を通るので、ヒンジ１２ａは動き出しからしばらくは、第１折畳板１２を押す方向に移動することになる。この動きに対して、第１折畳板１２が一体に形成されている場合は、ヒンジ１２ａはヒンジ１１ａに対しても、これを中心に回動することとなるために、ヒンジ１２ａは第２折畳板１３側へ移動する力も生じ、ヒンジ１２ａが両側から押されることとなって、回動するための抵抗が大きくなる。しかし、第１折畳板１２は互いにスライドする前面側板体１２Ｐ、後面側板体１２Ｑとから構成されるので、ヒンジ１２ａはヒンジ１１ａを中心に回動する必要はなく、図５（ａ）に示す前面側板体１２Ｐの開放端板１１側の内方の角と開放端板１１とが接する点Ｃを中心として回動することとなる。点Ｃからヒンジ１２ａまでの距離は、前面側板体１２Ｐの幅とほぼ等しいので、点Ｃを中心としてヒンジ１２ａが回転してもほとんど第２折畳板１３側には移動しない。即ち、ヒンジ１２ａに対して第２折畳板１２側へ押す力が低減するので、第１折畳板１２が一体に形成されている場合に比較して、よりスムーズに第２折畳板１３を回動させることができる。
【００１３】
第２折畳板１３を回動させると、第１折畳板１２も、ヒンジ１１ａの周りを回動し、図５（ｂ）のような状態となる。この図に示すように、第１折畳板１２の前面側板体１２Ｐはヒンジ１２ａに開放端側に押されるが、後面側板体１２Ｑはヒンジ１１ａにより拘束されているので、前面板板体１２Ｐは後面側板体１２Ｑに対して開放端側にスライド移動し、図５（ｂ）に示すように第１折畳板１２は、平面視で全体として略平行四辺形状にゆがむように変形する。なお、前面側板体１２Ｐと後面側板体１２Ｑとの間の移動を規制するゴムストッパー１２Ｓが設けられているので、前面側板体１２Ｐをスライドさせるにはゴムストッパー１２Ｓに抗する力を加える必要がある。これにより、ドアの平常時の使用においては、第１折畳板１２、第２折畳板１３は回動しない。
さらに、第２折畳板１３を回動させると、今度は、この回動によりヒンジ１２ａは第１折畳板１２から離れる方向に移動するようになる。この動きに合わせて、まず、ヒンジ１２ａに固定される前面側板体１２Ｐが、ヒンジ１２ａの方向に移動し、スライドレールの移動限界までくると、後面側板体１２Ｑが回動して、第１折畳板１２、第２折畳板１３がさらに内側に折れ曲がることで、図５（ｃ）のような状態となり、開放端板１１が固定端側に平行移動してドア板１０の幅が縮み、デッドボルト３２ａによるドア枠への係合が解かれる。この図に示すように、第１折畳板１２は、平面視で全体として図５（ｃ）に示す場合とは反対側にゆがんだ略平行四辺形状に変形する。
【００１４】
本実施形態にかかる非常用開放機構付き開き戸Ｘは、回動する折畳板の一つが変形することで、抵抗が少なく回動するので、制作時の多少の寸法誤差があったり、地震などでドア枠がゆがんだりしても、比較的容易に折畳板を折りたたむように回動させてドア板を幅方向に縮めて、ドアのロックを解除することができる。
【００１５】
なお、本実施形態では、内側へ開くドアを示したが、外側へ開くドアでも同様の機構を設けることができる。板体が外側に折れ曲がるようにする場合には、取っ手１３ｂを操作する代わりに外側に折れ曲がる板体を押す操作によりドア板を縮めるようにしてもよい。
また、ドア板を構成する板体の枚数や折れ曲がる方向も適宜変更することができる。さらに、前面側板体と後面側板体により構成される板体部分は、複数設けてもよい。
さらに、上記実施形態では前面側板体１２Ｐの開放端板１１側の内方の角と開放端板１１とが点Ｃにおいてが接するように形成しているが、この内方の角を面取りすることで、点Ｃの位置を外方の角に近づけ、さらには、一致させることで、より回動の抵抗を少なくすることができる。
また、本実施形態では、ゴムストッパー１２Ｓによりの移動を規制していたが、この動作の規制は種々の手段が採用でき、第１折畳板１２と第２折畳板１３の対向面同士や、各回動要素のいずれかの接触面同士を磁石や面ファスナーや比較的弱い接着力の接着剤等で固定する等の方法を用いたり、これらを併用したりすることができる。
【図面の簡単な説明】
【００１６】
【図１】実施形態に係る非常用開放機構付き開き戸の表側から見た一部破断斜視図である。
【図２】実施形態に係る非常用開放機構付き開き戸の裏側から見た一部破断斜視図である。
【図３】実施形態に係る非常用開放機構付き開き戸の横断面図である。
【図４】実施形態に係る非常用開放機構付き開き戸の動作を示す裏側から見た一部破断斜視図である。
【図５】（ａ）〜（ｃ）は、実施形態に係る非常用開放機構付き開き戸の動作を示す横断面図である。
【図６】（ａ）は従来の非常用開放機構付き開き戸の表側から見た一部破断斜視図であり、（ｂ）は従来の非常用開放機構付き開き戸の裏側から見た一部破断斜視図である。
【図７】従来の非常用開放機構付き開き戸の動作を示す裏側から見た一部破断斜視図である。
【図８】（ａ）〜（ｃ）は、従来の非常用開放機構付き開き戸の動作を示す横断面図である。
【符号の説明】
【００１７】
Ｘ      非常用開放機構付き開き戸
１０    ドア板
１１    開放端板
１２    第１折畳板
１２Ｐ  前面側板体
１２Ｑ  後面側板体
１２Ｒ  スライドレール
１２Ｓ  ゴムストッパー
１３    第２折畳板
１４    回動端板
２０    ドア枠
３０    ドアノブ部
３１    ハンドル
３２    ロック摘み
３２ａ  デッドボルト
【図１】
2010018979.tif 000003
【図２】
2010018979.tif 000004
【図３】
2010018979.tif 000005
【図４】
2010018979.tif 000006
【図５】
2010018979.tif 000007
【図６】
2010018979.tif 000008
【図７】
2010018979.tif 000009
【図８】
2010018979.tif 000010